(57)【要約】      （修正有）【課題】玉掛作業中に誤って玉掛部品のボルト、ナットの落下、紛失を起こさない玉掛機具を提供する。【解決手段】Ｃ形の形状をした金物１の一端に２条の雄ネジ２を設け、もう片方にピン５で支持された連結軸４の下端に顎６を設け、雄ネジ２に締め付ける２条の雌ネジを設けた筒ナット３を摺動回転自在に取付け、玉掛時は筒ナット３を弛めてから連結軸４を金物１の内側に折り間口を開き、ワイヤ、繊維スリングを金物１に掛け、筒ナット３を回し捻込み、連結軸４を雄ネジ２と締結し、Ｏ形のリングになった金物１でワイヤ、繊維スリングを留める。【選択図】図１
0003227806.tif 000002
【実用新案登録請求の範囲】
【請求項１】
Ｃ形の形状をした金物の一端に２条の雄ネジを設け、もう片方にピンで支持された連結軸の下端に顎を設け、前記雄ネジに締め付ける２条の雌ネジを設けた筒ナットを摺動、回転自在に取付けた構造で、ボルト、ナットを外す事無く、２条ネジは２倍の速さで締め付け、弛めが特徴の玉掛機具。
【請求項２】
請求項１記載の、金物の一端にある雄ネジに縦状に溝を設け、雄ネジ、雌ネジに噛み込んだ異物、ゴミ等を縦状の溝を通り排除する、玉掛機具。
【考案の詳細な説明】
【技術分野】
【０００１】    本考案は、クレーンを用いた揚重作業でワイヤ、繊維スリングを吊り荷に玉掛をする玉掛機具に関するものである。
【背景技術】
【０００２】    図２に示すように従来のシャックルを用いた玉掛作業では、シャックルに差し込んであるボルトのナットを弛めてから外し、ボルトを抜きワイヤ、繊維スリングを掛けている。この玉掛作業時ナット、ボルトは手に握ったままでワイヤ、繊維スリングを吊り荷に回して玉掛、又は玉外しをしている。シャックルからボルト、ナットが離れるので誤って落下、紛失の恐れが有った。【０００３】  建設、製造、物流に於いて機材、製品の移動手段としてクレーンを用いた揚重作業では機材、製品の上部で玉掛作業を行う為、ボルト、ナットを外さない、玉掛機具が求められている。
【先行技術文献】
【０００４】
【特許文献１】実用新案登録第３１６９７８８号
【特許文献２】特許登録第６０５９３８６号
【考案の概要】
【０００５】  建設、製造、物流に於いて機材、製品の移動手段としてクレーンを用いた揚重作業でワイヤ、繊維スリングを使う時、玉掛部品が落ちない玉掛機具を使うことで、製品を傷つけない安全な玉掛作業が出来る。
【考案が解決しようとする課題】
【０００６】  特許文献１に示したシャックルピンの外周に溝を設け、Ｏリングを嵌め脱落防止を行っているが、荷重が掛かるシャックルピンに溝を設けるとピン径が細くなり強度が落ちる為、シャックルピンの径を太くしなければならない。更にはシャックルのピン穴の径も大きくなりシャックル全体が重くなり、作業性が悪くなる。【０００７】  特許文献２に示したシャックルを図２に示したものでワイヤの玉掛を行う時、シャックルのナット、ボルトを外してからワイヤを掛けたり、外したりしているがこの時シャックル、ナット、ボルトは手に持った状態であり、玉掛作業中に誤ってボルト、ナットの落下、紛失が起きている。
【課題を解決するための手段】
【０００８】  本考案は従来の問題点に着目し、玉掛作業中に部品の落下、紛失を起こさないように部品が離れない構造とした玉掛機具の提供を目的する。
本考案はＣ形の形状をした金物の一端に２条の雄ネジを設け、もう片方にピンで支持された連結軸の下端に顎を設け、前記雄ネジに締め付ける２条の雌ネジを設けた筒ナットを摺動回転自在に取付け、玉掛時は前記筒ナットを弛めてから前記連結軸を前記金物の内側に折り間口を開き、ワイヤ、繊維スリングを前記金物に掛け、前記筒ナットを回し捻じ込み前記連結軸を前記雄ネジと締結しＯ形のリングになった前記金物でワイヤ、繊維スリングを留める構造で、ボルト、ナットを外す事無く、前記筒ナットは２倍の速さで締め付け、弛めが特徴の、玉掛機具。【０００９】  Ｃ形の形状をした金物の一端にある２条の雄ネジに縦状の溝を設け、建材、周囲の異物、ゴミが前記雄ネジ、筒ナットに入り込んだ時、前記筒ナットを回すことで縦状の前記溝から落下し、異物、ゴミが原因による玉掛作業への支障を無くした、玉掛機具。
【考案の効果】
【００１０】  建設、高所作業で行う玉掛作業は危険が伴うとともに、落下事故を起こしてはならない工事に於いてボルト、ナットが離れない構造は落下、紛失も無く、安全な玉掛作業が出来る。【００１１】  製造工場に於いて、仕上り製品の移動、移送は慎重な作業を求められ、玉掛作業に関わる部品の落下による製品の損傷を防げる。【００１２】  資材の揚重で求められる効率よくクレーンを稼動するには、球掛け、玉外しに掛かる時間は重要であり、ボルト、ナットを外さないで、筒ナットの２条ネジにより締め付け、緩めが早く出来、玉掛作業が効率よく行える。
【図面の簡単な説明】
【００１３】
【図１】図１の（Ａ）玉掛機具の立面、一部断面図、（Ｂ）筒ナットの断面図。
【図２】図２は、従来のシャックルを使った、玉掛の想像図。
【図３】図３の（Ｃ）金物端部の雄ネジ切込み図、（Ｄ）平面図。
【図４】図４の（Ｅ）金物端部の２条雄ネジ斜視図、（Ｆ）２条雄ネジ平面図。
【図５】図５の（Ｇ）連結軸のピン支持部拡大図、（Ｈ）連結軸のピン支持部立面図。
【図６】図６は、繊維スリングの玉掛想像図。
【考案を実施するための形態】
【００１４】  玉掛、玉外しの作業で、玉掛機具の部品が離れる事無く玉掛作業が出来るので部品の落下、紛失が起きない安全な玉掛機具を実現した。
【実施例１】
【００１５】  図１、に示した、Ｃ形の形状をした１金物の一端に、図４、に示した２条ネジの２雄ネジを設け、もう片方に５ピンで支持された４連結軸の下端に６顎を設け前記２雄ネジに締め付ける２条ネジの３筒ナットを摺動、回転自在に取付ける。【００１６】  図５の（Ｇ）、（Ｈ）、に示した１金物の一端に５ピンで支持された前記４連結軸の動きを内側のみに折り曲がるように前記１金物の内側だけを８Ｒ加工を行い、外側には折れない構造とした支持部。【００１７】  玉掛時は前記３筒ナットを弛め、前記４連結軸を前記１金物の内側に折り間口を開き、３４ワイヤ、または３８繊維スリングを前記１金物に掛け前記３筒ナットの７突起に指を掛けて締め付け、Ｏ形のリングになった前記１金物で３４ワイヤ、３８繊維スリングを留める、玉掛機具。
【実施例２】
【００１８】  図３の（Ｃ）、（Ｄ）、に示したＣ形の形状をした前記１金物の一端に設けた２雄ネジに縦状に９溝を設け、資材、建材、周囲の異物、ゴミが前記２雄ネジ、前記３筒ナットに入り込んだ時９溝から排除され玉掛作業への支障を少なくした、玉掛機具。
【産業上の利用可能性】
【００１９】  ビル建設現場の外周、足場での玉掛作業で、部品が離れないので落下の恐れが無く、周囲に迷惑をかける事なく安全な揚重作業が出来る、玉掛機具。【００２０】  製造工場で仕上り製品の揚重作業時、部品の落下が無く、製品の品質が保てる玉掛機具。
【符号の説明】
【００２１】１、金物                    ２、雄ネジ                ３、筒ナット
４、連結棒                  ５、ピン                  ６、顎
７、突起                    ８、Ｒ加工                ９、溝
１０、割ピン
２１、２条雄ネジ（１）      ２２、２条雄ネジ（２）
３１、シャックル            ３２、ボルト              ３３、ナット
３４、ワイヤ                ３５、フック              ３６、資材
３７、台木                  ３８、繊維スリング
【図１】
0003227806.tif 000003
【図２】
0003227806.tif 000004
【図３】
0003227806.tif 000005
【図４】
0003227806.tif 000006
【図５】
0003227806.tif 000007
【図６】
0003227806.tif 000008
【手続補正書】
【提出日】令和2年4月14日(2020.4.14)
【手続補正１】
【補正対象書類名】実用新案登録請求の範囲
【補正対象項目名】請求項２
【補正方法】変更
【補正の内容】
【請求項２】
請求項１記載の、金物の一端にある雄ネジに縦状に溝を設け、雄ネジ、雌ネジに噛み込んだ異物、ゴミを縦状の溝を用い排除する、玉掛機具。